(57)【要約】      （修正有）【課題】更に機敏に、より大きな角度でスケートボードの進行方向を変えることが可能になるスケートボード用ステアリング装置を提供する。【解決手段】フレーム１０と、リンケージセット２０と、キングピンセット３０と、中間シャフトセット４０と、複数のキャスターセット５０とを備える。該フレーム１０をデッキ９４にロックするとともに、該リンケージセット２０を該フレーム１０に連結する。該キングピンセット３０には該フレーム１０及び該リンケージセット２０が枢着し、該中間シャフトセット４０には該フレーム１０を枢着すれると共に該リンケージセット２０を螺合する。該複数のキャスターセット５０をは該リンケージセット２０の両端にそれぞれ連結する。これにより、使用者がデッキ９４の一側に力をかけることにより、該複数のキャスターセット５０に対して転回を行うことで、更に機敏に、より大きな角度で進行方向を変えることができるようになる。【選択図】図１
2020099518.tif 000002
【特許請求の範囲】
【請求項１】
フレームと、リンケージセットと、キングピンセットと、中間シャフトセットと、複数のキャスターセットと、を備え、
前記フレームは、ベースプレート及び前記ベースプレートから下に向けて延長される延長部を有し、
前記リンケージセットは、前記フレームに連結され、第一リンケージと、第二リンケージと、第三リンケージと、第四リンケージと、を含み、
前記第一リンケージは、両端が前記第三リンケージ及び前記第四リンケージにそれぞれ枢着され、且つ前記第二リンケージと相対的に前方に恒久的に位置され、
前記第二リンケージは、両端が前記第三リンケージ及び前記第四リンケージにそれぞれ枢着され、且つ前記第一リンケージと相対的に後方に恒久的に位置され、
前記中間シャフトセットは、前記延長部に設けられるボアと、前記第一リンケージに設けられるネジ穴と、前記ボアに枢着されると共に前記ネジ穴に螺合される中間シャフトと、を含み、
前記キングピンセットは、前記ベースプレートに設けられるキャビティと、前記第二リンケージに設けられる開口部と、複数の前記開口部の上端及び底端の両端にそれぞれ対応して重置される弾性部材及びワッシャーと、前記キャビティ、前記開口部、各前記弾性部材、及び各前記ワッシャーを貫通させた後にナットに螺合されるキングピンと、を含み、
各前記キャスターセットは、対応し合う前記第三リンケージ及び前記第四リンケージにそれぞれ連結されることを特徴とするマルチリンク式スケートボード用ステアリング装置。
【請求項２】
前記中間シャフトセットは前記ボアと前記中間シャフトとの間に設けられるスリーブを更に備えることを特徴とする請求項１に記載のマルチリンク式スケートボード用ステアリング装置。
【請求項３】
前記第二リンケージと同軸となる前記開口部の上端及び底端の両端面には、上部規制凹部及び下部規制凹部をそれぞれ有することを特徴とする請求項１に記載のマルチリンク式スケートボード用ステアリング装置。
【請求項４】
前記キングピンとリンケージセットとの間には傾斜角度がつけられることを特徴とする請求項１に記載のマルチリンク式スケートボード用ステアリング装置。
【請求項５】
前記キングピンと前記キャビティとの間にはキングスリーブが更に設置されることを特徴とする請求項１に記載のマルチリンク式スケートボード用ステアリング装置。
【請求項６】
前記キングピンは前記キャビティに対応する一端に拡大ヘッドを有し、前記拡大ヘッドは非円柱（管）形態を呈し、前記キャビティの内径の輪郭に適合して自転しないようになることを特徴とする請求項１に記載のマルチリンク式スケートボード用ステアリング装置。
【請求項７】
前記キングピンは前記拡大ヘッドとは反対の一端に前記ナットに螺合されるねじ山を有することを特徴とする請求項６に記載のマルチリンク式スケートボード用ステアリング装置。
【請求項８】
各前記キャスターセットは、軸と、キャスターと、ナットとを備え、前記軸の一端は対応する前記第三（前記第四）リンケージに直交連結され、他端にはねじ山を有し、前記キャスターは前記軸の外周側に覆設され、前記ナットは前記ねじ山に螺合されることを特徴とする請求項１に記載のマルチリンク式スケートボード用ステアリング装置。
【請求項９】
前記キャスターはナローキャスターまたはワイドキャスターから選択されることを特徴とする請求項８に記載のマルチリンク式スケートボード用ステアリング装置。
【発明の詳細な説明】
【技術分野】
【０００１】
本発明は、スポーツ関連技術の分野に関し、更に詳しくは、キングピン及びリンケージを統合するスケートボード用ステアリング装置に関する。
【背景技術】
【０００２】
スケートボードは使用者がボードの上に立ち、片足を使って前に進むか、高低の落差を利用して速度を増し、運動を行う乗り物であり、スケートボードは使用者の身体の傾きや揺動を利用してスケートの軌道を変える効果を達成させる。このため、使用者は運動以外にも短距離の移動手段としても使用している。また、トリッキーなフリースタイル等のパフォーマンスや競技としての用途も発展している。
【先行技術文献】
【特許文献】
【０００３】
【特許文献１】米国特許出願公開第８１８６６９４号明細書
【特許文献２】台湾登録実用新案第３０３７５５号公報
【発明の概要】
【発明が解決しようとする課題】
【０００４】
スケートボードの転回力を増強するため、ある業者ではリンケージ式転回キャスター機構の技術を提唱している（例えば、特許文献１参照）。しかしながら、従来のリンケージ式転回キャスター機構は、スケートボードの転回を助けることはできるが、但し、構造全体が複雑で大きすぎ、装設及び後続のメンテナンスが困難である等の欠点があった。
【０００５】
また、キングピン式転回キャスター構造（例えば、特許文献２参照）は、従来のリンケージ式機構では複雑で大きすぎる等という欠点を克服させはするが、他の若干の欠点もある。例えば、緩衝ブロックが圧縮される方式により揺動を達成させることによりキングピン式転回キャスター構造が傾動するための裕度を発生させているが、但し、緩衝ブロックが圧縮可能な空間には限界があり、キャスター体が反応する揺動幅が小さくなりすぎる。さらに、キングピン式転回キャスター構造のキングピンは、明細書に記載の構造によると、その上端及び底端の両端が共に拘束されるため、軸方向の可動空間を提供できず、キングピンの揺動角度が制限を受ける。
【０００６】
そこで、本発明者は上記の欠点が改善可能と考え、鋭意検討を重ねた結果、合理的設計で上記の課題を効果的に改善する本発明の提案に到った。
【０００７】
本発明はこうした状況に鑑みてなされたものであり、その目的は、キングピン及びリンケージを統合するスケートボード用ステアリング装置を提供することにある。つまり、構造の設計変更及び革新により、従来のリンケージ式転回キャスター構造は複雑で大きすぎ、キングピン式転回キャスター構造の作動範囲が極めて制限される等の欠点を克服する。
【課題を解決するための手段】
【０００８】
上記課題を解決するために、本発明のある態様のキングピン及びリンケージを統合するスケートボード用ステアリング装置は、フレームと、リンケージセットと、キングピンセットと、中間シャフトセットと、複数のキャスターセットとを備える。前記フレームはデッキにロックされる。前記リンケージセットは前記フレームに連結され、旋回の運動力を提供する。前記キングピンセットにはフレーム及びリンケージセットが枢着され、デッキの駆動力を伝導させてリンケージセットを作動させる。前記中間シャフトセットにはフレームが枢着されると共にリンケージセットが螺合され、フレームの回転のための軸心となる。各キャスターセットはリンケージセットの両端にそれぞれ連結されると共にこれに牽引されて旋回する。上述の部材構成により、使用者がデッキの一側に力をかけることにより、リンケージセットが駆動されて各キャスターセットに対して転回を行う。こうして、更に機敏に、より大きな角度でスケートボードの進行方向を変えることが可能になる。
【図面の簡単な説明】
【０００９】
【図１】本発明の実施形態を説明する概略図である。
【図２】図１に示す一実施形態の別角度の概略図である。
【図３】図１に示すＡ−Ａ線に沿う断面の概略図である。
【図４】図１に示す一実施形態の分解の概略図である。
【図５】図４に示す一実施形態の部分部材の分解の概略図である。
【図６】図５に示す一実施形態の断面の概略図である。
【図７】本発明の実施形態の部分部材を説明する作動の概略図である。
【図８】図５に示す一実施形態のＢ−Ｂ線に沿う断面の概略図である。
【発明を実施するための形態】
【００１０】
以下、本開示の実施形態について図面を用いて説明する。なお、本開示は、下記の実施形態に何ら限定されることはなく、本開示の技術的範囲に属する限り種々の形態を採りうる。
【００１１】
キングピン及びリンケージを統合するスケートボード用ステアリング装置は、デッキ９４にロックされて滑る及び転回を行うために用いられ、フレーム１０と、リンケージセット２０と、キングピンセット３０と、中間シャフトセット４０と、複数のキャスターセット５０と、を備える（図１乃至図６参照）。
【００１２】
上述フレーム１０は、一体形成されるベースプレート１２及び延長部１４を有する。前記延長部１４はベースプレート１２から下端面に向けて下向きに延長される。実施において、ベースプレート１２及びデッキ９４は平行する（図１乃至図６参照）。
【００１３】
上述のリンケージセット２０は、図１乃至図４に示されるように、第一リンケージ２１と、第二リンケージ２２と、第三リンケージ２３と、第四リンケージ２４と、を備える。前記第一リンケージ２１及び第二リンケージ２２は互いに平行し、且つ第一リンケージ２１は第二リンケージと相対的に前方に位置し（図１を左側から右側にかけて見る）、両末端は第三リンケージ２３及び第四リンケージ２４にそれぞれ枢着され、連動する４つのリンケージ構造が構成される。
【００１４】
上述のキングピンセット３０は、キャビティ３１と、開口部３２と、上部規制凹部３３と、下部規制凹部３４と、複数の弾性部材３５と、複数のワッシャー３６と、キングピン３７と、ナット３８と、キングスリーブ３９と、を備える（図２、図３、図５及び図６参照）。
【００１５】
前記キャビティ３１はフレーム１０の延長部１４を貫通させるように形成される。  
【００１６】
前記開口部３２は第二リンケージ２２を貫通させるように形成される。
【００１７】
前記上部規制凹部３３及び前記下部規制凹部３４は（図３参照）、開口部３２と同軸で第二リンケージ２２の上端及び底端の両端面に陥没形成される。
【００１８】
前記弾性部材３５及びワッシャー３６は、上部規制凹部３３及び下部規制凹部３４に対応するように重置される。各弾性部材３５は上部規制凹部３３及び下部規制凹部３４の底部にそれぞれ突き当てられる。
【００１９】
前記キングピン３７はキャビティ３１、開口部３２、各弾性部材３５、及び各ワッシャー３６を順に貫通させた後にナット３８に螺合される。前記キングピン３７の一端にはナット３８に対応するねじ山３７２を有し、他端には輪郭がねじ山３７２の外径より大きい拡大ヘッド３７４を有する。実施において、拡大ヘッド３７４は非円柱（管）形態を呈し、キャビティ３１の内径の非円形孔に対応する輪郭であるため自転しないようになり、単一の工具でナット３８を締めたり緩めることができ、且つ対応するワッシャー３６を圧迫して上部規制凹部３３及び下部規制凹部３４中の弾性部材３５を圧縮させる。また、前記キングピン３７及びリンケージセット２０は任意の傾斜角度をつけて（例えば、１０度から５０度）、キングピン３７全体の長さを増し、デッキ９４が傾斜可能な角度を拡大させてリンケージセット２０を駆動させて作動させる。
【００２０】
前記キングスリーブ３９はキングピン３７とキャビティ３１との間を被覆させる。実施において、キングスリーブ３９は任意で省略してもよい。また、キャビティ３１の内径の非円形孔はキングスリーブ３９に提供される。
【００２１】
上述の中間シャフトセット４０は、図１、図３及び図４に示されるように、フレーム１０に枢着されると共にリンケージセット２０をロックさせ、ボア４１と、ネジ穴４２と、中間シャフト４３と、スリーブ４４と、を備える。
【００２２】
前記ボア４１はフレーム１０の延長部１４の所定の位置に陥没形成される。
【００２３】
前記ネジ穴４２はボア４１に対応するように第一リンケージ２１の所定の位置に陥没形成される。
【００２４】
前記中間シャフト４３はボア４１にそれぞれ枢着されてネジ穴４２に螺合される。実施において、中間シャフト４３の延伸方向はデッキ９４の延伸方向と同じであり、且つフレーム１０のベースプレート１２と平行する。
【００２５】
前記スリーブ４４はボア４１と中間シャフト４３との間に設けられる。実施において、スリーブ４４は任意で省略可能である。
【００２６】
前記キャスターセット５０は、図１、図２及び図５に示されるように、軸５２と、キャスター５４と、ナット５６と、を備える。前述の軸５２の一端は第三（または第四）リンケージ２３、２４と直交連結され、他端にはねじ山５２２を有する。前述のキャスター５４は軸５２の外周側に覆設される。前述のナット５６はねじ山５２２に螺合されてキャスター５４が拘束される。実施において、キャスター５４はナローキャスターまたはワイドキャスターから選択される。
【００２７】
上述のデッキ９４は、図１に示されるように、少なくとも１つの板孔９４２を有する。前記板孔９４２はデッキ９４を上下に貫通させるように形成され、且つデッキ９４の延伸方向の前後両端に別設され、フレーム１０の延長部１４を進入させる。実施において、板孔９４２は任意で省略可能である、フレーム１０はデッキ９４に下端面に向けて直接ロックされる。
【００２８】
このように、以上は本発明の好ましい実施形態に関わるキングピン及びリンケージを統合するスケートボード用ステアリング装置の各部材及び装設方式の説明である。続いて、本発明の実施形態の作動の特徴について下述する。
【００２９】
まず、図１乃至図８に示されるように、使用者がデッキ９４を踏んで前へ進み、加速し、方向を変える場合、曲がりたい方向にデッキ９４に重心をかけるのみで、デッキ９４が受力してフレーム１０が傾動され、キングピン３７も連動して傾斜し、キングピン３７の拡大ヘッド３７４により上部規制凹部３３中に収容される弾性部材３５が圧迫され、キングピン３７の下段が開口部３２の輪郭裕度のため、一側に向けて揺動すると共に弾性部材３５を圧縮させ、第二リンケージ２２を押動して移動させる。リンケージセット２０の連動関係により、リンケージセット２０の第三リンケージ２３及び第四リンケージ２４が連動して移動し、これによりキャスターセット５０が牽引されて転回し、転回の目的を達成させる。
【００３０】
上述のキングピン３７の傾斜過程において、各弾性部材３５が圧縮されるほか、更にキングピン３７の上端が軸方向（キングピン３７の延伸方向）に拘束されないため、キャビティ３１中に更に没入される。
【００３１】
使用者がデッキ９４の側縁に圧力をかけなくなると、各弾性部材３５が弾性により回復し、キングピン３７及びフレーム１０が連動されて反対方向に作動し、且つリンケージセット２０及びキャスターセット５０が同期で牽引されて復位し、直行状態を回復させる。  
【００３２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３３】
１０  フレーム
１２  ベースプレート
１４  延長部
２０  リンケージセット
２１  第一リンケージ
２２  第二リンケージ
２３  第三リンケージ
２４  第四リンケージ
３０  キングピンセット
３１  キャビティ
３２  開口部
３３  上部規制凹部
３４  下部規制凹部
３５  弾性部材
３６  ワッシャー
３７  キングピン
３７２  ねじ山
３７４  拡大ヘッド
３８  ナット
３９  キングスリーブ
４０  中間シャフトセット
４１  ボア
４２  ネジ穴
４３  中間シャフト
４４  スリーブ
５０  キャスターセット
５２  軸
５２２  ねじ山
５４  キャスター
５６  ナット
【図１】
2020099518.tif 000003
【図２】
2020099518.tif 000004
【図３】
2020099518.tif 000005
【図４】
2020099518.tif 000006
【図５】
2020099518.tif 000007
【図６】
2020099518.tif 000008
【図７】
2020099518.tif 000009
【図８】
2020099518.tif 000010